(57)【特許請求の範囲】
【請求項１】
脈圧および血液流量を同時に取られる脈波情報の測定装置の作動方法であって、
前記測定装置の処理部は、
血液の流動方向に沿って、所定距離Ｌに置いて配置された上流側圧力センサーと下流側圧力センサーとを用いて、血管の隣接した二測定点に対して脈圧を測定し、上流側圧力センサーが脈圧Ｐ0（ｔ）を取り、下流側圧力センサーが脈圧ＰL（ｔ）を取り、また、遅延測定回路にて脈波が上下流側圧力センサーを通過する遅延時間τを取り、且つＰ0（ｔ）とτとをデジタル処理装置に入力するとともに、上流側圧力センサーと対応したデジタル脈圧Ｐ0（ｎ）を取り、遅延時間τより下流側圧力センサーと対応したデジタル脈圧ＰL（ｎ）が算出するステップと、
変位センサーより下流側圧力センサーの処での血管管径の変位量Δａを測定するステップと、
血管管径測定装置により下流側圧力センサーの処での血管管径ａoを測定するステップと、
血液粘度測定装置により血液粘度係数μを測定するステップと、
上記ステップで得られた上下流側圧力センサーの処での脈圧Ｐ0（ｎ）およびＰL（ｎ）と、
距離差Ｌと、
下流側圧力センサーの処での血管管径の変位量Δａおよび血管管径ａoと、
血液粘度係数μと、
を含む情報を下記の計算式にて
α＝Δａ／ＰL（ｎ）、
Ｑ＝π／（２０αＬμ）＊｛［ａ0＋０．５＊αＰ0（ｎ）］5−［ａ0＋０．５＊αＰL（ｎ）］5｝、
血管順応性αと血液流量Ｑとを算出するステップと、
を実行することを特徴とする脈圧および血液流量を同時に取られる脈波情報の測定装置の作動方法。
【請求項２】
前記上、下流側圧力センサーの間の距離は２〜３ｍｍであることを特徴とする請求項１に記載の脈圧および血液流量を同時に取られる脈波情報の測定装置の作動方法。
【請求項３】
前記上、下流側圧力センサーは血管に挿入され、血管内部の血液圧力を測定し脈圧を取ることを特徴とする請求項１に記載の脈圧および血液流量を同時に取られる脈波情報の測定装置の作動方法。
【請求項４】
前記上、下流側圧力センサーは血管に挿入されず、人体の血管の皮膚組織に押圧し脈圧を取ることを特徴とする請求項１に記載の脈圧および血液流量を同時に取られる脈波情報の測定装置の作動方法。
【請求項５】
前記上、下流側圧力センサーの人体の腕部の動脈部位の皮膚組織への押圧深さは、漢医学の脈診断における浮きと中と沈みとなど三つの押圧程度に合ったことを特徴とする請求項４に記載の脈圧および血液流量を同時に取られる脈波情報の測定装置の作動方法。
【請求項６】
前記上、下流側圧力センサーの人体の腕部の動脈部位の皮膚組織への押圧位置は、漢医学の脈診断における寸と関と尺となど三つの押圧位置に合ったことを特徴とする請求項４に記載の脈圧および血液流量を同時に取られる脈波情報の測定装置の作動方法。
【請求項７】
前記下流側圧力センサーの実際の測定値をゼロに近接するように、制御器がアクチュエータを駆動して前記下流側圧力センサーを上下に移動させ、且つ変位センサーにより前記下流側圧力センサーの上下変位量を測定し、そうすると、血管管径の変位量Δａが得られることを特徴とする請求項４に記載の脈圧および血液流量を同時に取られる脈波情報の測定装置の作動方法。
【請求項８】
下流側圧力センサーの処で変位センサーを設置し、血管管径の変位量Δａを直接に測定することを特徴とする請求項４に記載の脈圧および血液流量を同時に取られる脈波情報の測定装置の作動方法。
【請求項９】
挿入管と、
サンプリング管と、
血管管径を測定するための血管管径測定装置と、
変位センサーと、
を含む脈圧および血液流量を同時に取られる脈波情報の測定装置であって、
前記挿入管は、人体の皮膚組織を挿入して血管に入るための挿入部を有し、前記挿入管は血流方向に沿って距離を置いた二つの流れ道を有し、前記各流れ道は挿入部でそれぞれ開口を有し、前記挿入管の挿入部の反対端には座体が設けられており、前記座体は前記各流れ道と対応して別々に収容室が設けられており、前記各収容室には各流れ道内の圧力を測定するための圧力センサーが設けられており、
前記サンプリング管の一端は人体の血管に挿入され、前記サンプリング管の他端は血液をサンプリングして血液粘度係数μを測定し、
前記変位センサーは針の先端に設けられ、前記針は皮膚組織中に刺入されて前記挿入管の下流側流れ道の開口に対応し、前記変位センサーにより前記挿入管の下流側流れ道の開口での血管変位量を測定することを特徴とする脈圧および血液流量を同時に取られる脈波情報の測定装置。
【請求項１０】
下流側センサーには変位センサーを設けず、別に変位センサーとその第二アクチュエータとを設けたことを特徴とする請求項９に記載の脈圧および血液流量を同時に取られる脈波情報の測定装置。
【請求項１１】
前記血管管径測定装置は熱画像チップと映像処理ユニットとを有する熱画像測定装置であることを特徴とする請求項９または１０に記載の脈圧および血液流量を同時に取られる脈波情報の測定装置。
【請求項１２】
前記熱画像測定装置は同時に人体の体温を測定可能であることを特徴とする請求項１１に記載の脈圧および血液流量を同時に取られる脈波情報の測定装置。
【発明の詳細な説明】
【０００１】
【発明の属する技術分野】
本発明は人体の健康診断に係り、特に血流方向に沿って排列した二圧力センサーにより血管の圧力とその波形変化となどを同時に測定して、血管動態順応性と血液流量と血液動エネルギーとなどを算出する脈圧および血液流量を同時に取られる脈波情報の測定方法とその装置に関する。
【０００２】
【従来の技術】
目下、各種の脈波測定方法は、殆どが脈圧とその波形変化を測定して健康診断の情報とし、または、脈圧をスペクトルに転換して分析に提供し、なお、脈圧を測定する方法の他に、ドップラー超音波により血液流量を測定する方法もあるし、赤外線にて赤血球の移動速度を測定することにより血液の流速を測定する方法もあるが、これらの方法は単一の情報を取られることだけである。しかしながら、単一の脈圧や血液流量や血液流速が心臓と血管との全ての状態を表示することができない。なぜなら、同じ脈圧であっても、血管の管径と順応性との異なりにより血液流量も異なった。そして、健康状況は血液流動の状況と緊密に関連しているので、それらの変化は単一の脈圧や血液流量や血液流速の情報により表示できるものではない。
【０００３】
本発明者は長年の研究によって、血圧と血液流量とを同時に測定して、両者を積算すると、血管内の血液エネルギーが算出でき、なお、具体的には、血液流量が二点の圧力差により算出できる。
【０００４】
血液流動は層流であり、血管がリニアーな弾性管であると仮設すれば、弾性血管流量計算式は、
Ｑ＝π／（２０αＬμ）＊｛［ａ0＋０．５＊αＰ0（ｎ）］5−［ａ0＋０．５＊αＰL（ｎ）］5｝であって、
Ｑは血液の流量であり、
α＝Δａ／pは血管の順応性であって、pは脈圧の変化波形の瞬間値であり、Δａは血管の管径の変化値であり、
Ｌは二圧力測定点の間の距離であり、
μは血液の粘度係数であり、
ａ0は血管の管径であり、
Ｐ0（ｎ）とＰL（ｎ）とは二圧力測定点の脈圧値である。
【０００５】
だから、上記計算式で血液の流量を算出しようとすれば、血管の順応性αと、血液の粘度係数μと、血管の管径ａ0と、二圧力測定点の脈圧値Ｐ0（ｎ）とＰL（ｎ）と、二圧力測定点の間の距離Ｌと、を取っておくことが必要であるが、これらの数値は目下の単一の情報だけを測定できる各種の測定方法にて取ることができない。
【０００６】
特に、二測定点の距離Ｌは短いほど血液流量が正確に測定できるが、二測定点の距離Ｌは短いほど測定が難しくなり、漢医学の脈診断の観点から見れば、上記二測定点の距離Ｌが一指先の長さであればよい。本発明者の研究によれば、二測定点の距離Ｌは２〜３ｍｍであればよく、脈圧が腕部の動脈を通過する波速度は約３．５〜４．５ｍ／ｓｅｃであるため、脈波が上記二測定点を通過する時間は約０．５ｍｓｅｃでありが、目下の医療診断装置のサンプリング頻度は２００〜４００Ｈｚであり、そのサンプリング時間は２０〜５０ｍｓｅｃであるため、目下の医療診断装置は、上記二測定点の脈圧値の差の変化を測定することができない。
【０００７】
【発明が解決しようとする課題】
こんなに短い距離の脈圧差が極めて小さく、それに測定誤差率が大きいため、アナログ脈圧信号を１２ｂｉｔのデジタル信号に転換した際に発生する数字差により、二測定点の脈圧値と差値変化とを判明できない問題があった。
【０００８】
また、血液流量の計算を影響するもう一重要なパラメータは血管の順応性αであり、上記血液流量の計算式は血管が理想な弾性血管と仮設し、実際の順応性αはノンリニアーな数値であり、且つ膨張圧と収縮圧のときにも異なったため、動態な順応性αの測定は解決すべきな問題である。
【０００９】
血管順応性αの定義は、所定な測定点での血管の管径の変位と脈圧の変化の比である。すなわち、血管順応性αは、所定な測定点での血管の管径の変位と脈圧との関連曲線の勾配である。そう見れば、測定点で一圧力センサーと一変位センサーとを付ければいいが、実はそんなに簡単ではない。所定な測定点での圧力変化を取ろうとする場合には、圧力センサーを一定の深さに血管を押圧することが必要であり、なお、所定圧力での血管の変位を測定しようとする場合には、まず圧力を測定してから変位センサーを移動することが必要である。しかしながら、圧力センサーと一変位センサーとが一体に形成されたので、圧力センサーを移動すると、所定な測定点での圧力変化の測定も不可能になり、動態な順応性αの算出もできなくなった。
【００１０】
【課題を解決するための手段】
上記課題を解決するためになされた本願の請求項１は、血液の流動方向に沿って、一上流側圧力センサーと一下流側圧力センサーとを所定距離Ｌに置いて配置し、血管の隣接した二測定点に対して脈圧を測定し、上流側圧力センサーが脈圧Ｐ0（ｔ）を取り、下流側圧力センサーが脈圧ＰL（ｔ）を取り、また、一遅延測定回路にて脈波が上下流側圧力センサーを通過する遅延時間τを取り、且つＰ0（ｔ）とτとを一デジタル処理装置に入力するとともに、上流側圧力センサーと対応したデジタル脈圧Ｐ0（ｎ）を取り、遅延時間τより、下流側圧力センサーと対応したデジタル脈圧ＰL（ｎ）が算出するステップと、一変位センサーより下流側圧力センサーの処での血管管径の変位量Δａを測定するステップと、一血管管径測定装置により、下流側圧力センサーの処での血管管径ａoを測定するステップと、血液粘度測定装置により血液粘度係数μを測定するステップと、上記ステップで得られた上下流側圧力センサーの処での脈圧Ｐ0（ｎ）およびＰL（ｎ）と、距離差Ｌと、下流側圧力センサーの処での血管管径の変位量Δａおよび血管管径ａoと、血液粘度係数μと、などの情報を下記の計算式にて
α＝Δａ／ＰL（ｎ）、
Ｑ＝π／（２０αＬμ）＊｛［ａ0＋０．５＊αＰ0（ｎ）］5−［ａ0＋０．５＊αＰL（ｎ）］5｝、
血管順応性αと血液流量Ｑとを算出するステップと、などのステップを順序に含むことを特徴とする脈圧および血液流量を同時に取られる脈波情報の測定方法であることを要旨としている。
【００１１】
本願の請求項２では、前記上下流側圧力センサーの間の距離は２〜３ｍｍであることを特徴とする請求項１に記載の脈圧および血液流量を同時に取られる脈波情報の測定方法であることを要旨としている。
【００１２】
本願の請求項３では、前記上下流側圧力センサーは血管に挿入して、血管内部の血液圧力を測定し脈圧を取ることを特徴とする請求項１に記載の脈圧および血液流量を同時に取られる脈波情報の測定方法であることを要旨としている。
【００１３】
本願の請求項４では、前記上下流側圧力センサーは血管に挿入しなく、人体の血管の皮膚組織に押圧し脈圧を取ることを特徴とする請求項１に記載の脈圧および血液流量を同時に取られる脈波情報の測定方法であることを要旨としている。
【００１４】
本願の請求項５では、前記上下流側圧力センサーが人体の腕部の動脈部位の皮膚組織への押圧深さは、漢医学の脈診断における浮きと中と沈みとなど三つの押圧程度に合ったことを特徴とする請求項４に記載の脈圧および血液流量を同時に取られる脈波情報の測定方法であることを要旨としている。
【００１５】
本願の請求項６では、前記上下流側圧力センサーが人体の腕部の動脈部位の皮膚組織への押圧位置は、漢医学の脈診断における寸と関と尺となど三つの押圧位置に合ったことを特徴とする請求項４に記載の脈圧および血液流量を同時に取られる脈波情報の測定方法であることを要旨としている。
【００１６】
本願の請求項７では、前記下流側圧力センサーの実際の測定値をゼロに近接するように、制御器が一アクチュエータを駆動して前記下流側圧力センサーを上下に移動させ、且つ変位センサーにより前記下流側圧力センサーの上下変位量を測定し、そうすると、血管管径の変位量Δａが得られることを特徴とする請求項４に記載の脈圧および血液流量を同時に取られる脈波情報の測定方法であることを要旨としている。
【００１７】
本願の請求項８では、下流側圧力センサーの処で一変位センサーを設置し、血管管径の変位量Δａを直接に測定することを特徴とする請求項４に記載の脈圧および血液流量を同時に取られる脈波情報の測定方法であることを要旨としている。
【００１８】
本願の請求項９では、一挿入管と、一サンプリング管と、血管管径を測定するための一血管管径測定装置と、一変位センサーと、を含む脈圧および血液流量を同時に取られる脈波情報の測定装置であって、前記挿入管は、人体の皮膚組織を挿入して血管に入るための一挿入部を有し、前記挿入管は血流方向に沿って距離を置いた二流れ道を有し、前記各流れ道は挿入部でそれぞれ一開口を有し、前記挿入管の挿入部の反対端には一座体が設けており、前記座体は前記二流れ道と対応して別々に一収容室が設けており、前記各収容室には各流れ道内の圧力を測定するための圧力センサーが設けており、前記サンプリング管の一端は人体の血管に挿入し、なお、前記サンプリング管の他端は血液をサンプリングして血液粘度係数μを測定し、前記変位センサーは一針の先端に設けられ、前記針は皮膚組織中に刺入し前記挿入管の下流側流れ道の開口に対応し、前記変位センサーにより前記挿入管の下流側流れ道の開口での血管変位量を測定することを特徴とする脈圧および血液流量を同時に取られる脈波情報の測定装置であることを要旨としている。
【００１９】
本願の請求項１０では、前記下流側センサーには変位センサーを設けなく、別に一変位センサーとその第二アクチュエータとを設けたことを特徴とする請求項９に記載の脈圧および血液流量を同時に取られる脈波情報の測定装置であることを要旨としている。
【００２０】
本願の請求項１１では、前記血管管径測定装置は一熱画像チップと一映像処理ユニットとを有する一熱画像測定装置であることを特徴とする請求項９乃至１１の何れかに記載の脈圧および血液流量を同時に取られる脈波情報の測定装置であることを要旨としている。
【００２１】
本願の請求項１２では、前記熱画像測定装置は同時に人体の体温を測定することができることを特徴とする請求項１１に記載の脈圧および血液流量を同時に取られる脈波情報の測定装置であることを要旨としている。
【００２２】
【発明の実施の形態】
図２と図３に示すのは、本発明の脈圧および血液流量を同時に取られる脈波情報の測定方法とその装置の実施例１であり、本実施例は侵入式測定方法を採用した。これは、一挿入管１と、一サンプリング管１４と、一変位センサー１９と、血管管径を測定するための一血管管径測定装置と、一データ処理装置（図示せず）と、を含む。
【００２３】
前記挿入管１は、人体の皮膚組織を挿入して血管に入るための一挿入部１１を有し、前記挿入管１は血流方向に沿って距離を置いた二流れ道１２、１３を有し、前記各流れ道１２、１３の間隔した距離は２〜３ｍｍであり、前記各流れ道１２、１３は挿入部１１でそれぞれ一開口１２１、１３１を有し、前記挿入管１の挿入部１１の反対端には一座体１５が設けられており、前記座体１５は前記二流れ道１２、１３と対応して別々に各流れ道内の圧力を測定するための圧力センサー１６、１７が設けられている。
【００２４】
前記サンプリング管１４の一端は人体の血管に挿入し、なお、前記サンプリング管１４の他端には、血液をサンプリングして血液粘度係数μを測定するための血液粘度測定器１８が設けられている。前記血液粘度測定器１８は、赤血球沈殿法または滴下法などを採用してもいい。
【００２５】
前記変位センサー１９は一針１９１の先端に設けられ、本実施例では、前記変位センサー１９が光学感応式センサーであり、なお、前記針１９１は皮膚組織中に刺入して前記挿入管１の下流側流れ道１３の開口１３１に対応し、前記変位センサー１９により前記挿入管１の下流側流れ道１３の開口１３１での血管変位量Δａを測定する。
【００２６】
本実施例では、前記血管管径測定装置は、一熱画像チップと一映像処理ユニットとを含む一熱画像測定装置２であり、血管の位置と管径ａoと使用者の体温Ｔ0とを同時に測定するように、前記熱画像チップが測定される血管での皮膚組織の表面に付けられる。
【００２７】
前記データ処理装置（図示せず）は、前記圧力センサー１６、１７と、血液粘度測定器１８と、変位センサー１９と、熱画像測定装置２と、などに接続し、測定して得られた各情報とデータとを計算して、脈圧と順応性と血液流量と血流の動エネルギーとなどを算出し、また、臨床医学で取った特徴値に合わせて、参考資料として漢医学の診断に提供する。
【００２８】
実際に使用するときには、まず、熱画像測定装置２を測定予定の血管での皮膚組織の表面に貼り付け、図２に示すように、血管の位置と管径とを測定する。また、前記熱画像測定装置２を取り除いて、挿入管１と変位センサー１９の針１９１とを血管および皮膚組織のなかに挿入し、図３に示すように、測定を実施する。
【００２９】
図４を参照する。本実施例の測定制御プロセスは、まず、二流れ道１２、１３の脈圧Ｐ0（ｔ）およびＰL（ｔ）を取り、遅延測定回路にて遅延時間τを取ってから、データ処理装置にそれらのデータを入力するとともに、取ったデジタル脈圧Ｐ0（ｎ）を基準として、時間差τを遅延して、圧力センサー１７でのデジタル脈圧ＰL（ｎ）を算出する。
【００３０】
そして、データ処理装置により、血液粘度測定器にて測定した血液粘度係数μと、変位センサー１９にて測定した血管管徑変位量Δａと、血管管徑ａoと、流れ道１２の脈圧Ｐ0（ｎ）と、遅延計算にて取った脈圧ＰL（ｎ）と、などのデータを共同に計算すると、血管順応性αと、血液流量Ｑと、血流動エネルギーEと、などのデータが算出され、また、それらの算出した各データを臨床医学で取ったデータベースの各特徴値と対比して、参考資料として漢医学の診断に提供する。
【００３１】
図５に示すのは、非侵入式測定方法を採用した本発明の実施例２であり、実施例２の装置によれば、血管順応性および血液流量が同時に測定でき、その装置は、一腕部固定装置３と、一血管管徑測定装置と、圧力測定装置５と、一データ処理装置と、を含む。
【００３２】
前記腕部固定装置３は、一台座３０を有し、前記台座３０の内部には、使用者の腕部の裏側が上に向く姿勢で腕部を収容するための一収容部３１が設けてられおり、前記収容部３１の両側には、エヤを充填できるエヤバッグ３２が設けられており、エヤバッグ３２にエヤを充填すると、腕を挟んで固定することができる。
【００３３】
本実施例では、前記血管管徑測定装置は前記腕部固定装置３の台座３０に設置された一熱画像測定装置４であり、前記熱画像測定装置４は一熱画像チップと一映像処理ユニットとを有し、前記熱画像チップが駆動されて腕部の動脈の上に貼り付いて、動脈の位置とその管径を測定する。
【００３４】
前記圧力測定装置５は、腕部固定装置３の台座３０に設置され、腕部の関節に対応する処には一座体５１が設けられている。図６を参照する。前記座体５１は一駆動部材５５に駆動されて腕部を押圧し、前記駆動部材５５は、圧電気アクチュエーターでもいいし、他の動力を発生できる駆動部材でもいい。前記駆動部材５５が座体５１を移動できるストロークは約１０ｍｍであり、前記座体５１には、血液の流動方法に沿って、別々に上流側圧力センサー５２と下流側圧力センサー５３とが距離を置いて設けられている。
【００３５】
前記上下流側圧力センサー５２、５３はそれぞれ一中空ケース５２１、５３１を有し、前記各ケース５２１、５３１の内部には、別々に一上流側圧力マイクロセンサー５２２と下流側圧力マイクロセンサー５３２とが設けられており、なお、前記上下流側圧力センサー５２、５３の外周には弾性材料で作製した一マスク５２３、５３３が別々にカバーしており、前記各マスク５２３、５３３と上下流側圧力マイクロセンサー５２２、５３２との間には別々に一収容室５２４、５３４が形成され、前記各収容室５２４、５３４にはシリコンオイルが充填しており、且つ前記各マスク５２３、５３３の前端には、別々にケース５２１、５３１の外側へ突出した一圧力受け部５２６、５３６が設けられており、且つ前記各圧力受け部５２６、５３６は圧力を受けても変形しない硬質材料から作製され、各圧力受け部５２６、５３６が圧力を受けている場合には、各収容室５２４、５３４の内部のシリコンオイルが圧迫され、上下流側圧力マイクロセンサー５２２、５３２によりその圧力を測定し、なお、前記上下流側圧力マイクロセンサー５２２、５３２は一回路に接続しており、且つ前記座体５１には、下流側センサー５３を上下に移動させるためのアクチュエータ５４が設けており、本実施例では、前記アクチュエータ５４は形状記憶合金と関連構造とから構成され（図示せず）、形状記憶合金片は電源に接続しており、形状記憶合金片に電流を流すと、形状が変化されて下流側センサー５３を上下に移動させる。勿論、前記アクチュエータ５４は、形状記憶合金と関連構造とから構成される他に、微圧電アクチュエータまたは他の微動アクチュエータを採用していい。また、アクチュエータ５４の後ろには、血管管徑の変位量を測定するための一変位センサー５６が設置される。
【００３６】
前記データ処理装置は、電子回路にて測定された各情報およびデータを計算して、脈圧と、血管順応性と、血液流量と、血流動エネルギーと、などのデータが算出し、また、それらの算出した各データを臨床医学で取ったデータベースの各特徴値と対比して、参考資料として漢医学の診断に提供する。
【００３７】
本実施例により二隣接した処での脈圧を測定する場合には、上下流側圧力センサー５２、５３を腕部に圧迫するように、駆動部材により座体５１を下へ移動させ、上下流側圧力センサー５２、５３がある程度に腕部を圧迫するとそのままに保持され、圧力受け部５２６、５３６が脈圧を受け、その圧力を上下流側圧力マイクロセンサー５２２、５３２まで伝達して、上下流側の脈圧が得られる。また、図８を参照する。本実施例２の測定制御プロセスは、上下流側圧力センサー５２、５３を腕部に圧迫するように、駆動部材により座体５１を下へ移動させ、まず、二測定点での脈圧Ｐ0（ｔ）およびＰL（ｔ）を取り、遅延測定回路にて遅延時間τを取ってから、データ処理装置にＰ0（ｔ）とτとを入力するとともに、取ったデジタル脈圧Ｐ0（ｎ）を基準として、時間差τを遅延して、圧力センサーでのデジタル脈圧ＰL（ｎ）を算出する。
【００３８】
図８を参照する。上下流側圧力センサー５２、５３を腕部に圧迫するように、駆動部材により座体５１を下へ移動させる場合には、前記下流側圧力マイクロセンサー５３２で測定した圧力をゼロに近接するように、一制御器にてアクチュエータ５４を駆動させて、前記下流側圧力センサー５３を脈圧の変化に応じて上下に移動させ、なお、前記アクチュエータ５４が下流側センサー５３を移動する変位量は変位センサー５６に測定され、それは血管管徑の変位量Δａであり、前記血管管徑の変位量Δａと遅延計算にて算出した前記下流側圧力マイクロセンサー５３２での脈圧見込み値Ｐ（Ｏ）とによりその変化率を計算すると、血管動態順応性αが得られる。
【００３９】
本実施例では、血液粘度測定器により使用者の血液粘度係数μを測定するが、測定が困難な場合には、水の粘度係数の５倍を血液の粘度係数μとしてもいい。
【００４０】
また、熱画像測定装置の熱画像チップは、１ｃｍ×１ｃｍの面積のなかに１２８×１２８感熱画素を有するので、４０ｍＫの温度差を検知することができるため、血流と周囲組織との温度差により、血管の輪郭を表示することができ、また、映像処理技術により血管位置と管径ａoとを測定し、脈診断の定位に提供する。血管管徑を測定すると同時に、熱画像チップにて人体の体温を測定することもできる。
【００４１】
本実施例を使用する際には、まず、使用者の血液を抽出して血液粘度測定器により血液粘度係数μを測定し、使用者の腕部の裏側が上に向く姿勢で腕部を収容するための腕部固定装置３の収容部３１に置き、また、図９に示すように、腕部の動脈Ｂを圧迫しないように、収容部３１の両側に位置するエヤバッグ３２にエヤを充填して腕部をはさんで固定し、また、熱画像測定装置４を駆動し熱画像チップを腕部の動脈Ｂの上まで移動し、動脈Ｂと周囲組織の温度差を測定して、動脈Ｂの位置と管径ａoとを取るとともに、人体の体温Ｔを測定し、なお、熱画像測定装置４を取り除いた後、上下流側圧力センサー５２、５３を腕部動脈Ｂの「関」部位Ｂ２に当接するように、圧力測定装置５の駆動部材５５により座体５１を駆動して腕部の動脈の上から押圧し、図９に示すように、上下流側圧力センサー５２、５３が下に押圧するとそのまま保持され、脈圧信号Ｐ0（ｔ）とＰL（ｔ）を取り、また、遅延測定回路にて遅延時間τを測定して、下流側圧力マイクロセンサー５３２の実際の検知圧力をほぼゼロに近接する状態（微接触状態）のように、下流側圧力センサー５３を上下に制御し駆動させ、そうして、変位センサー５６にて測定した下流側圧力センサー５３の上下変位量は管径の変位量Δａであり、また、上流側圧力マイクロセンサー５２２のデジタル脈圧Ｐ0（ｎ）を基準として、時間差τを遅延し、下流側圧力センサー５３でのデジタル脈圧ＰL（ｎ）を計算すると、血管変位―脈圧曲線が得られ、また、微分処理すると、血管動態順応性αが得られる。最後に血流計算式により血液流量と血流動エネルギーとを算出して特徴分析に提供し、参考資料として漢医学と西洋医学の臨床診断に提供する。
【００４２】
測定する際には、駆動部材にて座体５１を動脈部位の皮膚組織への押圧深さは、漢医学の脈診断における浮きと中と沈みとなどの三つの押圧程度に合った。
【００４３】
勿論、漢医学の脈診断における寸と関と尺となどの三つの押圧位置に合うように、上記動脈の「関」部位Ｂ２に測定装置を付ける他、図９に示すように、「寸」部位Ｂ１と「尺」部位Ｂ３とにも別々に一測定装置を付け、前記各測定装置には一圧力マイクロセンサーを内蔵した一測定体が設けられており、そうすると、「寸」部位Ｂ１と「尺」部位Ｂ３との脈圧が測定でき、且つ各圧力マイクロセンサーがそれぞれ一駆動部材に駆動されて「寸」部位Ｂ１と「尺」部位Ｂ３とを押圧する。上記三測定装置の圧力マイクロセンサーは全部に四つを有し、それらの圧力マイクロセンサーにより寸と関と尺となどの三部位での脈圧と脈圧波形変化とを同時に測定すると、もっと詳細な脈波変化資料が得られ、脈診断の精確性を向上することができる。
【００４４】
図１０と図１１は本発明の実施例３の構造および使用状態を示す概略図である。本実施例は基本的には、図６の実施例２と同じだが、その差別は前記下流側圧力センサー５３の上には変位センサー５６を設けず、その代わりに、一変位センサー５６Ａとその第二アクチュエータ５７とを設ける。上下流圧力センサーにてＰ0（ｔ）とτとを測定した後、前記下流側圧力センサー５３を上げてから、前記変位センサー５６Ａが第二アクチュエータ５７に駆動されて、前記下流側圧力センサー５３の処で血管変位量Δａを直接に測定する。上流側圧力センサーでのデジタル脈圧Ｐ0（ｎ）と下流側圧力センサーでの血管変位量Δａとを同時に取ってデータ処理装置（例えば、パソコンやデジタル信号処理器やシングルチップ制御器など）に入力し、且つ上流側脈圧を利用して遅延時間を経て下流側脈圧を計算し、且つその計算した結果を下流側変位に合わせて下流側の血管動態順応性を算出する。
【００４５】
上記に述べた実施例は本発明を説明するために挙げたものであり、本発明の特許請求範囲を制限するものではなく、一部の数値変更や同じ効果を有する部材の置換は、全ての本発明の特許請求範囲に属する。
【００４６】
これは次のような効果がある。
（イ）血液の流動方向に沿って、一上流側圧力センサーと一下流側圧力センサーとを所定距離Ｌに置いて配置し、血管の隣接した二測定点に対して脈圧を測定し、上流側圧力センサーが脈圧Ｐ0（ｔ）を取り、下流側圧力センサーが脈圧ＰL（ｔ）を取り、また、一遅延測定回路にて脈波が上下流側圧力センサーを通過する遅延時間τを取り、且つＰ0（ｔ）とτとを一デジタル処理装置に入力するとともに、上流側圧力センサーと対応したデジタル脈圧Ｐ0（ｎ）を取り、遅延時間τより、下流側圧力センサーと対応したデジタル脈圧ＰL（ｎ）が算出できる。
【００４７】
（ロ）前記下流側圧力センサーの実際の測定値をゼロに近接するように、制御器が閉回路制御方式により一アクチュエータを駆動して前記下流側圧力センサーを上下に移動させ、且つ変位センサーにより前記下流側圧力センサーの上下変位量を測定し、そうすると、血管管径の変位量Δａが得られ、ひいては血管の動態順応性αが算出できる。
【００４８】
（ハ）一熱画像測定装置にて血管の位置を測定し、それを圧力測定装置の測定位置の自動定位のデータとし、なお、熱画像測定装置により血管管径と人体体温とが測定でき、また、血液粘度測定器により血液粘度係数を測定すると、上記算出した血管の動態順応性αに合わせて、血液流量Ｑが算出でき、ひいては血管内の血液動エネルギーＥも算出できる。
【００４９】
（二）腕部の温度と、血管の脈圧と、血管の動態な順応性と、血管の管径と、血液の流量と、血液の動エネルギーと、などの動態な情報が得られ、臨床診断で得られた各生理パラメータと合わせ、且つコンピュータにて統計と分析とを重ねて、脈診断の臨床データベースを設立することができ、漢医者と西洋医者との臨床診療にいい参考になる。
【図面の簡単な説明】
【図１】脈波が隣接した二測定点を通過するときの位相差を示す概略図である。
【図２】本発明の実施例１の配置を示す概略図である。
【図３】本発明の実施例１の侵入式測定方法の使用状態を示す概略図である。
【図４】本発明の実施例１の測定方法の制御フローチャートである。
【図５】本発明の実施例２の概略図である。
【図６】本発明の実施例２の圧力測定装置の構成を示す概略図である。
【図７】本発明の実施例２の使用状態を示す概略図である。
【図８】本発明の実施例２の測定方法の制御フローチャートである。
【図９】本発明の実施例２の使用状態を示す概略図である。
【図１０】本発明の実施例３の構成と使用状態とを示す概略図である。
【図１１】本発明の実施例３の構成と使用状態とを示す概略図である。
【符号の説明】
１          挿入管
２          熱画像測定装置
３          腕部固定装置
４          熱画像測定装置
５          圧力測定装置
１１          挿入部
１２、１３    流れ道
１４          サンプリング管
１５          座体
１６、１７    圧力センサー
１８          血液粘度測定器
１９          変位センサー
３０          台座
３１          収容部
３２          エヤバッグ
５１          座体
５２          上流側圧力センサー
５３          下流側圧力センサー
５４          アクチュエータ
５５          駆動部材
５６、５６Ａ  変位センサー
５７          第二アクチュエータ
１２１、１３１  開口
１９１          針
５２１、５３１  ケース
５２２          上流側圧力マイクロセンサー
５２３、５３３  マスク
５２４、５３４  収容室
５２６、５３６  圧力受け部
５３２        下流側圧力マイクロセンサー
【図１】
0003792671.tif 000002
【図２】
0003792671.tif 000003
【図３】
0003792671.tif 000004
【図４】
0003792671.tif 000005
【図５】
0003792671.tif 000006
【図６】
0003792671.tif 000007
【図７】
0003792671.tif 000008
【図８】
0003792671.tif 000009
【図９】
0003792671.tif 000010
【図１０】
0003792671.tif 000011
【図１１】
0003792671.tif 000012